(57)【要約】【課題】カウンターの裏面側に電磁誘導加熱調理機器を配置して当該機器を隠蔽するとともに、この隠蔽を行っても調理器具を載せるべき領域を明瞭に認識させることのできるシステムキッチンを提供すること。【解決手段】透光性を有するカウンター１２の領域内にシンク１５と電磁誘導加熱調理機器１６が併設されている。この電磁誘導加熱調理機器１６は、前記カウンター１２の裏面側に配置されて当該カウンター１２によって隠蔽されている。カウンター１２において、電磁誘導加熱調理機器１６のコイル部１６ａ〜１６ｃに対応するカウンター部分に発光部２１〜２３が設けられている。調理器具Ｐが発光部２１〜２３から外れた位置に載置されているときに、発光部２１〜２３が発光することで調理器具Ｐを載置すべき位置を表出し、当該位置に調理器具Ｐを移載したときに、他の発光部は消灯する。【選択図】図１
2010069073.tif 000002
【特許請求の範囲】
【請求項１】
内部に収納空間を備えたキャビネットの上部にカウンターが設けられたキッチン本体と、前記カウンターの領域内に設けられたシンクと、カウンターの裏面側に配置された電磁誘導加熱調理機器とを含むシステムキッチンにおいて、
前記カウンターは透光性を備えているとともに隠蔽性を有する材料により形成され、金属製調理器具を電磁誘導加熱調理機器のコイル部の上部又はコイル部の上部から外れたカウンター上に載置したときに、当該コイル部に対応するカウンター部分が調理器具載置位置として光ることを特徴とするシステムキッチン。
【請求項２】
前記調理器具載置位置に調理器具が載置されたときに、前記調理器具載置位置が継続して光ることを特徴とする請求項１記載のシステムキッチン。
【請求項３】
前記調理器具載置位置が複数であり、前記調理器具が載置された当該調理器具載置位置が継続して光る一方、他の調理器具載置位置が消灯することを特徴とする請求項２記載のシステムキッチン。
【発明の詳細な説明】
【技術分野】
【０００１】
本発明はシステムキッチンに係り、更に詳しくは、カウンターの下面側に電磁誘導加熱調理機器を配置し、カウンターに鍋等の調理器具を載置して調理を行うことのできるシステムキッチンに関する。
【背景技術】
【０００２】
カウンターの領域内に電磁誘導加熱調理機器を配置したシステムキッチンが知られている。このタイプのシステムキッチンは、内部に収納領域を備えたキャビネットの上部にカウンターが設けられたキッチン本体を備え、前記カウンターの領域内にシンクと電磁誘導加熱調理機器を併設した構成となっている。公知の電磁誘導加熱調理機器は、カウンターの一部に形成された方形の穴内に配置されており、当該加熱調理機器の上面がカウンターの上面に表出するようになっている。
【０００３】
しかしながら、このようなシステムキッチンにあっては、電磁誘導加熱調理機器の上面がカウンターの材質と異なる質感を表出し、調理以外の目的、例えば、対面式システムキッチンとしたときのテーブルのように利用することには適していない。これは、カウンターに形成された穴内に電磁誘導加熱調理機器を配置した構造に起因する。
【０００４】
そこで、特許文献１には、カウンターの下面側に電磁誘導加熱調理機器を配置し、カウンターの上面所定位置に鍋等の調理機器を載置して加熱調理することのできるシステムキッチンが提案されている。
【特許文献１】特開２００６−１１００３４号公報
【発明の開示】
【発明が解決しようとする課題】
【０００５】
特許文献１に記載されたシステムキッチンは、電磁誘導加熱調理機器をカウンターの裏面側に配置する構成とし、調理以外の目的、例えば、家族団欒時のテーブルとしての利便性等を狙ったものである。
しかしながら、特許文献１に記載されたカウンターは透明な板材となっている。従って、カウンターが電磁誘導加熱調理機器の存在を隠すという隠蔽性を有しておらず、当該機器を支持する部材等も見えてしまうものとなり、外観上の体裁は、必ずしも良好とはいえない、という不都合がある。これは、電磁誘導加熱調理機器を使用するに際して、調理用具を配置すべき位置を認識させるためである。
【０００６】
［発明の目的］
本発明は、このような不都合に着目して案出されたものであり、その目的は、カウンターの裏面（下面）側に電磁誘導加熱調理機器を配置した構造において、当該機器を隠蔽するとともに、この隠蔽を行っても調理器具を載せるべき領域を明瞭に認識させることのできるシステムキッチンを提供することにある。
【課題を解決するための手段】
【０００７】
前記目的を達成するため、本発明は、内部に収納空間を備えたキャビネットの上部にカウンターが設けられたキッチン本体と、前記カウンターの領域内に設けられたシンクと、カウンターの裏面側に配置された電磁誘導加熱調理機器とを含むシステムキッチンにおいて、
前記カウンターは透光性を備えているとともに隠蔽性を有する材料により形成され、金属性調理器具を電磁誘導加熱調理機器のコイル部の上部又はコイル部の上部から外れたカウンター上に載置したときに、当該コイル部に対応するカウンター部分が調理器具載置位置として光る、という構成を採っている。
【０００８】
本発明において、前記調理器具載置位置に調理器具が載置されたときに、前記調理器具載置位置が継続して光るように設けられている。
【０００９】
また、前記調理器具載置位置が複数であり、前記調理器具が載置された当該調理器具載置位置が継続して光る一方、他の調理器具載置位置が消灯するように設けることができる。
【００１０】
なお、なお、本発明でいう、隠蔽性を有する材料とは、その材料を使用したカウンターを上面側から見て、カウンターの裏面側に配置した電磁誘導加熱調理機器が見えないものをいい、従って、加熱調理を行なうときの調理器具を載せるべき位置が見えないものをいう。
【発明の効果】
【００１１】
本発明によれば、電磁誘導加熱調理機器をカウンターによって隠蔽できるとともに、当該機器のコイル部に対応する領域から外れたカウンター上に金属製調理器具を載置しても、調理器具載置位置が光るため、加熱調理を行う際に、カウンターの何れの位置に調理器具を載せれば良いかを外観上明瞭に認識することができる。
しかも、調理器具載置位置に調理器具を載置したときに、当該調理器具載置位置が継続して光り、調理器具が載置されない他の載置位置は消灯するため、現実に利用している領域との区別を行うことができる。
【発明を実施するための最良の形態】
【００１２】
以下、本発明の好ましい実施の形態について図面を参照しながら説明する。
【００１３】
図１には本実施形態に係るシステムキッチンの概略斜視図が示され、図２には、その要部概略構成図が示されている。これらの図において、システムキッチン１０は、内部に収納空間を備えたキャビネット１１の上部にカウンター１２が設けられたキッチン本体１３と、前記カウンター１２の領域内に設けられたシンク１５と、カウンター１２の裏面側に配置された電磁誘導加熱調理機器１６とを備えて構成されている。ここで、キャビネット本体１１は、前面側で出し入れ可能となる多数の引き出し１８を備えているとともに、右端側に位置する引き出し１８の上部には電磁誘導加熱調理機器１６の操作部１９が配置されている。
【００１４】
前記カウンター１２は、本実施形態では、透光性を備えているとともに隠蔽性を有する熱硬化性樹脂からなる人造大理石により構成されている。このカウンター１２は、左側にシンク１５が設けられている一方、右側に電磁誘導加熱調理機器１６が位置するように設けられている。電磁磁誘導加熱調理機器１６は、本実施形態では、図２に示されるように、三箇所にコイル部１６ａ、１６ｂ、１６ｃを備えたタイプとされ、ブラケット等からなる取付具２０を介してカウンター１２の裏面側に取り付けられている。カウンター１２において、前記コイル部１６ａ〜１６ｃに対応する裏面側若しくは内部には、図１中点線で示した円形の調理機器載置位置を特定する発光部２１、２２、２３が設けられ、これら発光部２１〜２３上に鍋等の金属製調理器具Ｐ（図２参照）を配置することで、電磁誘導による加熱調理が行えるようになっている。なお、発光部２１〜２３は、発光ダイオード等によって構成することができるが、その他の光源を用いることもできる。
【００１５】
前記カウンター１２の裏面側若しくは内部には、公知の金属センサ２５が複数配置されている。これら金属センサ２５は、前記発光部２１〜２３すなわち調理器具載置位置と、当該位置から外れたカウンター１２上に調理器具Ｐが載置されたときにこれを検知し、その検知信号を電磁誘導加熱調理機器１６のコントローラ２７に出力するように構成されている。なお、金属センサ２５の反応領域は、シンク１５よりも右側の領域に設定することが好ましいが、カウンター１２の全領域を反応領域としても差し支えない。この場合、シンク１５の後部に配置された水栓３０には反応しないように設定することが必要となる。
【００１６】
前記操作部１９は、調理器具Ｐの載置検知機能や発光部２１〜２３をスタンバイ状態にしたり、電磁誘導加熱調理機器を使用可能にするメインスイッチ、各コイル部１６ａ〜１６ｃの個別的な通電を行うための操作スイッチ、電力（火力）調整スイッチ、タイマースイッチ等、種々のスイッチを含んで構成されている。
【００１７】
次に、本実施形態における作用について説明する。
【００１８】
図２に示されるように、操作部１９のメインスイッチがＯＮした状態において、調理器具載置領域を特定する発光部２１〜２３から外れたカウンター１２上に調理器具Ｐが載置されている場合、当該調理器具Ｐをその検出エリアに有する金属センサ２５がこれを検知する。この検知信号はコントローラ２７に出力され、当該コントローラ２７は、検知信号を入力として発光部２１〜２３の発光ダイオードを全て点灯制御することとなる。これにより、利用者は、加熱調理領域が何れであるかを認識することができる。ここで、利用者が、発光部２１に調理器具Ｐを移載したと仮定した場合、当該発光部２１が点灯を継続維持する一方、他の発光部２２、２３は点灯を消灯するようにコントローラ２７が所定制御する。従って、発光部２１に対応する操作部１９の所定のスイッチをＯＮさせることで加熱調理を行うことができる。なお、カウンター１２において、前記金属センサ２５の検出エリア内に調理器具Ｐが何も載っていない場合には、発光部２１〜２３が点灯しないように制御される。従って、外観上は、大理石調のカウンター面が表出するのみである。さらになお、特定の発光部、例えば発光部２１に調理器具Ｐが載置された場合、調理器具Ｐが載置された発光部２１だけを点灯してもよいし、発光部２１〜２３を点灯し、所定時間、例えば１〜５分経過した後、発光部２２、２３を消灯するようにしてもよい。
【００１９】
ここで、前記発光部２１〜２３すなわちコイル部１６ａ〜１６ｃの上部対応位置から外れたカウンター１２上に調理器具Ｐが載置されている状態において、例えば、発光部２１にも別途の調理器具Ｐが載置された場合を仮定すると、金属センサＰの検知信号は競合することとなる。この場合、コントローラ２７は、発光部２１〜２３外の領域を検知領域とする金属センサ２５からの検知信号を優先して所定制御を行うようになっている。具体的には、調理器具Ｐが載置された発光部２１を点灯するとともに、他の発光部２２、２３も点灯させる。
【００２０】
なお、ここでは図示していないが、カウンター１２の対応領域内に、電磁誘導加熱調理機器１６の温度、調理時間等を発光表示させる機能を付与することができる。
【００２１】
従って、このような実施形態によれば、調理器具Ｐを発光部２１〜２３から外れたカウンター１２上に載置した状態で、調理器具Ｐの載置位置が発光により明示される構成としたから、加熱調理を行う位置を極めて明瞭に認識することができる。しかも、カウンター１２によって電磁誘導加熱調理機器１６の隠蔽性も確保できるため、テーブル等の天板と同じような外観を表出することができ、カウンターをダイニングテーブルのように利用することができる。
【００２２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、前記実施形態では、平坦なカウンター１２を図示説明したが、本発明は、これに限定されるものではなく、カウンター１２の後部に立ち上がり部を設けてもよい。この場合において、立ち上がり部に、加熱調理時の温度、時間等を表示できるようにすれば見易い表示効果を付与することができる。また、カウンター１２は、平面視で方形に限らず、流線型等、種々の平面形状を採用することができる。要するに、本発明は、電磁誘導加熱調理機器を隠蔽しつつ、加熱調理に際して調理器具を載置すべき位置が点灯表示できるように設けられていれば足りる。
【図面の簡単な説明】
【００２４】
【図１】実施形態に係るシステムキッチンの概略斜視図。
【図２】前記実施形態の要部概略構成図。
【符号の説明】
【００２５】
１０…システムキッチン、１１…キャビネット、１２…カウンター、１３…キッチン本体、１５…シンク、１６…電磁誘導加熱調理機器、１６ａ、１６ｂ、１６ｃ…コイル部、２１、２２、２３…発光部（調理器具載置位置）、Ｐ…調理器具
【図１】
2010069073.tif 000003
【図２】
2010069073.tif 000004